(57)【要約】【課題】合成ゴム製の口栓に突き通した液体導入針が抜けやすく、液体導入針を口栓に容易に刺したり、抜いたりする際の抵抗が大きい。【解決手段】液体導入針３の針管２５の外周面には液体導入口２５ｅより針元２５ａ寄りの位置から互いに反対側へ突出し且つ針元２５ａ側に向かって裾広がりの三角錐形をした抜止め突起２７を２つ設け、針元２５ａの外周面には半球形の目印２９を設け、口栓３３には、針管２５の直径とほぼ同じ幅寸法を有し且つ２つの抜止め突起２７の最大幅Ｗとほぼ同じ長さを持つ長穴形の凹部３３ａ、３３ａ′を形成することで薄肉部３３ｂを設けた。この薄肉部３３ｂに針管２５を突き通して９０゜回すと、抜止め突起２７が薄肉でない部位に係合して抜止めされる。抜くときは、目印２９を見て液体導入針３を元の向きに戻して引っ張る。【選択図】　　　　図３
2004008633.tif 000002
【特許請求の範囲】
【請求項１】
液体容器の口に取り付けられた合成ゴム製の口栓の薄肉部に液体導入針を突き刺す構造であって、液体導入針の針管の外周面には針元側に向かって裾広がりの形をした抜止め突起が設けられ、前記薄肉部は液体容器内側の面に凹部を設けることで形成されていることを特徴とする液体導入針と口栓との突き刺し構造。
【請求項２】
請求項１に記載した液体導入針と口栓との突き刺し構造において、液体容器内側の面の凹部は、最大幅が針管の直径とほぼ同じ寸法を有する長穴状であることを特徴とする液体導入針と口栓との突き刺し構造。
【請求項３】
請求項１または２に記載した液体導入針と口栓との突き刺し構造において、液体導入針を口栓の薄肉部に突き刺した状態で液体導入針の軸回り方向の位置を示す目印を具備したことを特徴とする液体導入針と口栓との突き刺し構造。
【請求項４】
請求項１から３のいずれかに記載した液体導入針と口栓との突き刺し構造において、口栓の薄肉部は液体容器内側の面と外側の面の両方に凹部を設けることで形成されていることを特徴とする液体導入針と口栓との突き刺し構造。
【請求項５】
請求項３または４において、液体導入針の軸回り方向の位置を示す目印は、口栓側の目印と液体導入針側の目印とによって構成されており、口栓側の目印は口栓の外側の面に形成された凹部であり、前記凹部は前記液体導入針側の目印との関係において液体導入針の軸回り方向の位置を目視により判断できる形状に形成されていることを特徴とする液体導入針と口栓との突き刺し構造。
【請求項６】
請求項５に記載した液体導入針と口栓との突き刺し構造において、口栓の外側の面に形成された凹部は長穴状に形成されていることを特徴とする液体導入針と口栓との突き刺し構造。
【請求項７】
請求項１から６のいずれかの記載した液体導入針と口栓との突き刺し構造に用いられ抜け止め突起が形成された液体導入針において、前記抜止め突起は、針元側に底面が向いたほぼ三角錐形を為すことを特徴とする液体導入針。
【請求項８】
請求項７に記載した液体導入針において、抜け止め突起は、針管の軸心を挟んで互いに反対側へ突出するように設けられていることを特徴とする液体導入針。
【発明の詳細な説明】
【０００１】
【発明の属する技術分野】
本発明は、液体容器の口に取り付けられた合成ゴム製の口栓に液体導入針を突き刺す突き刺し構造に関するものである。
【０００２】
【従来の技術】
例えば医療用輸液回路における輸液瓶や輸液バッグと輸液セットとの連結は、一般に、輸液セットの一端にある導入針をバイアル瓶や輸液バッグの合成ゴム製の口栓に突き刺すだけで行うようにしている。
このような連結構造は、バイアル瓶や輸液バッグを開封せずに導入針を連結することが可能である。しかも連結及びその解除をほぼ１動作で行うことができるという優れた利点を有するが、その反面、導入針の抜止めは、ゴム栓と導入針との間の摩擦力だけに依存しているため、何らかの原因で導入針が引っ張られて口栓から外れてしまう事故が発生することがある。
【０００３】
そこで、口栓からの導入針の抜け止めをより確実にするための工夫が従来から提案されている。例えば、実公昭５０−１９３４４号公報には、Ｊスロット形の「割溝」を設けた栓体を注射液容器の口に取り付けると共に、導入針には鍔様に張り出した「ハンドル」を設け、導入針を栓体に突き刺した後これを軸回り方向へ回すことで、そのハンドルが割溝に係合して抜け止めが為されるようにしたものが記載されている。
また、実開昭６２−１１９９４６号公報には、導入針の針管部に円錐形の「リブ」を形成し、このリブが貫通するまで導入針を口栓に突き刺すと、そのリブが口栓の上面に係合して導入針が抜け難くなるというものが記載されている。
【０００４】
【発明が解決しようとする課題】
ところが、実公昭５０−１９３４４号公報に記載した導入針では、口栓がかなり複雑な形状であるため、金型の構造も複雑になり、製造コストが高くつくという問題がある。
また、実開昭６２−１１９９４６号公報に記載の導入針によると、針管本体の最大直径がリブの裾側直径まで拡大してかなり太いので、導入針を口栓に突き刺す際の抵抗が極めて大きいばかりか、導入針を口栓から引き抜くためには相当な力が必要となる。さらに、太いリブが口栓を貫くため口栓が裂けてしまったり、口栓の締め付け力が低下して液漏れが生じやすいという問題がある。
【０００５】
本発明は上記した従来の問題点に鑑みて為されたものであり、口栓に突き通した液体導入針が当該口栓から抜けるのを確実に防止することができ、それでいて液体導入針を口栓に突き通す際の抵抗がそれほど大きくなることも無く、且つ口栓が裂けるおそれも無い液体導入針と口栓との突き刺し構造を提供することを目的とする。
【０００６】
【課題を解決するための手段】
この目的を達成するための、請求項１の発明は、液体容器の口に取り付けられた合成ゴム製の口栓の薄肉部に液体導入針を突き刺す構造であって、液体導入針の針管の外周面には針元側に向かって裾広がりの形をした抜止め突起が設けられ、前記薄肉部は液体容器内側の面に凹部を設けることで形成されていることを特徴として成る。
【０００７】
請求項２に記載した発明は、請求項１に記載した液体導入針と口栓との突き刺し構造において、液体容器内側の面の凹部は、最大幅が針管の直径とほぼ同じ寸法を有する長穴状であることを特徴として成る。
【０００８】
請求項３に記載した発明は、請求項１または２に記載した液体導入針と口栓との突き刺し構造において、液体導入針を口栓の薄肉部に突き刺した状態で液体導入針の軸回り方向の位置を示す目印を具備したことを特徴として成る。
【０００９】
請求項４に記載した発明は、請求項１から４のいずれかに記載した液体導入針と口栓との突き刺し構造において、口栓の薄肉部は液体容器内側の面と外側の面の両方に凹部を設けることで形成されていることを特徴として成る。
【００１０】
請求項５に記載した発明は、請求項５に記載した液体導入針と口栓との突き刺し構造において、口栓の外側の面に形成された凹部は長穴状に形成されていることを特徴として成る。
【００１１】
請求項６に記載した発明は、液体導入針と口栓との突き刺し構造において、口栓の外側の面に形成された凹部は長穴状に形成されていることを特徴として成る。
【００１２】
請求項７に記載した発明は、請求項１から６のいずれかの記載した液体導入針と口栓との突き刺し構造に用いられ抜け止め突起が形成された液体導入針において、前記抜止め突起は、針元側に底面が向いたほぼ三角錐形を為すことを特徴として成る。
【００１３】
請求項８に記載した発明は、請求項７に記載した液体導入針において、抜け止め突起は、針管の軸心を挟んで互いに反対側へ突出するように設けられていることを特徴として成る。
【００１４】
【発明の実施の形態】
以下に、本発明の実施の形態に係る液体導入針と口栓との突き刺し構造を図面に従って説明する。
〔１．第一の実施の形態〕（図１〜図４）
図１から図４は、第一の実施の形態に係る液体導入針と口栓との突き刺し構造を示すものである。
【００１５】
〔Ａ．液体導入針〕（図１〜図４）
輸液セット１は、液体導入針３と、この液体導入針３が取り付けられた点滴筒５と、この点滴筒５から延びた輸液チューブ７の先端に合成ゴム管９を介して連結された輸液針取付けジャック１１と、輸液チューブ７が通されたロールクランプ１３とで構成されている。
液体導入針３は、点滴筒嵌合キャップ２１と、この点滴筒嵌合キャップ２１の閉鎖端面から短いテーパー管状に延びた合流管２３と、この合流管２３から長く延びた針管２５と、合流管２３から側方へ突出した短いタコ管２６とがプラスチックにより一体に形成されている。点滴筒嵌合キャップ２１が点滴筒５の一端部に外嵌されている。
【００１６】
針管２５は、基本的に反合流管２３側の端部が閉じた細身の円筒形をしており、針元２５ａはその他の部分よりやや太く形成されると共に、針先端２５ｂが先細りのテーパー形に形成されている。これら針元２５ａと針先端２５ｂとの間の部分が主部２５ｃである。この主部２５ｃにおける針先端２５ｂ寄りの位置から先端にかけての外周面に軸方向と平行に延びる深い溝２５ｄが形成され、この溝２５が軸心孔に通じた液体導入口２５ｅ（図１、図３参照）に連続している。
【００１７】
主部２５ｃの外周面における軸方向ほぼ中間位置、少なくとも液体導入口２５ｅより針元２５ａ側へ寄った位置に抜止め突起２７が２つ設けられている。この抜止め突起２７は、針管２５の軸心を挟んで互いに反対側へ突出するように設けられている。抜止め突起２７は、主部２５ｃの外周面から下斜め側方へ延びた稜線２７ａの両側に位置するほぼ直角三角形の２つの斜面２７ｂを有する概ね三角錐形をしている。従って、抜止め突起２７は針元２５ａ側を向いた平坦な底面２７ｃを有する。
この底面２７ｃから針元２５ａまでの距離Ｌ（図３（Ａ）参照）は、後述する口栓の厚さとほぼ同じになっている。また、抜止め突起２７の最大幅Ｗ（図３（Ａ）参照）、すなわち各稜線２７ａの下端どうしの間の寸法は、主部２５ｃの外径のほぼ１．５倍になっている。
【００１８】
針元２５ａの外周面のうち主部２５ｃ寄り位置には、半球形をした小さな目印２９が形成されている。この２つの目印２９は、軸回り方向における位置が抜止め突起２７と各別に同じである位置に設けられており、この目印２９が設けられている法線上に抜止め突起２７が在ることを示している。
【００１９】
〔Ｂ．口栓〕（図２〜図４）
符号３１は液体容器としてのバイアル瓶を示す。このバイアル瓶３１には所要の薬液が充填されると共に、その口は、口栓３３付きのキャップ３５が固着されることで密閉されている。キャップ３５の頂面には円形の大きな孔３５ａが形成され、また、口栓３３は合成ゴム等で厚い円板形を為している。口栓３３はキャップ３５内に挿入されており、キャップ３５に固着されてキャップ３５の孔３５ａが密閉される。
【００２０】
口栓３３の外側の面（液体容器外側の面）の中央部には凹部３３ａが形成され、内側の面（液体容器内側の面）の中央部には凹部３３ａ′が形成されている。外側の面の凹部３３ａと内側の面の凹部３３ａ′は対応する位置に形成され、凹部３３ａ、３３ａ′は共に開口部がほぼ長円形を為し、この長円形の長手方向に沿う垂直断面はほぼ半円形をしている。凹部３３ａと凹部３３ａ′の向きは互いに一致している。
従って、口栓３３は凹部３３ａ、３３ａ′が設けられることによって、その他の領域より肉厚が薄い薄肉部３３ｂが形成されている。
凹部３３ａ、３３ａ′の開口部の長手寸法は、液体導入針３に設けられている２つの抜止め突起２７どうしの幅Ｗより多少長くしてある。
液体導入針３と口栓３３は以上のように構成されている。
【００２１】
〔Ｃ．口栓に対する液体導入針の突刺しと抜止め〕（図２〜図４）
次に、口栓３３に対する液体導入針３の突刺しと抜止めなどを説明する。
口栓３３に液体導入針３を突き刺すときは、液体導入針３の針先端で口栓３３の外面側の凹部３３ａの中央を狙って突き刺す。このとき、液体導入針３の軸回り方向における向きを、図２及び図３（Ａ）に示すように、抜止め突起２７が凹部３３ａの長手方向に並ぶ向きとする。液体導入針３をこの向きにして口栓３３に突き刺すと、針管２５の主部２５ｃから針先端２５ｂにかけての部分と抜止め突起２７はいずれも口栓３３の薄肉部３３ｂを通されることになるので、突刺しの抵抗がかなり小さくて済む。
【００２２】
このようにして針管２５を口栓３３に突き刺して行くと、図３（Ｂ）に示すように、針元２５ａが凹部３３ａに近接する辺りまで来るのと同時に、抜止め突起２７が薄肉部３３ｂを貫いて口栓３３の内面から突出する（図４（Ａ）参照）。このことは、少なくとも目印２９が凹部３３ａに入る手前辺りまで針管２５突き刺すことで確実に達成される。
【００２３】
この状態から、液体導入針３を軸回りへ９０゜程度回すと、図３（Ｃ）及び図４（Ｂ）に示すように、抜止め突起２７が、口栓３３のうち突刺し凹部３３ａ′から外れた部分すなわち本来の肉厚を残しており且つ針管２５や抜止め突起２７の突刺しで切られなかった部分に対向する位置に来る。
液体導入針３が９０゜程度回転されたことは、目印２９が凹部３３ａの幅方向で並んだ状態を見ることで確認できる。
【００２４】
従って、この状態から仮に輸液セット１が引っ張られた場合、その引張り力は抜止め突起の底面２７ｃを口栓３３の内頂面にその垂直方向から係合させる力として働くことになり、この係合が為される部分は本来の肉厚が残され且つ針管２５や抜止め突起２７の突刺しで切られなかった部分であるから抜止め突起２７がここを裂きながら抜けることは通常は起こりえない。
【００２５】
また、このようにして口栓３３に突き刺した液体導入針３を抜くときは、先ず、液体導入針３をその目印２９が凹部３３ａ、３３ａ′の長手方向で並ぶ向きになるまで軸回りへ回す。これにより、抜止め突起２７が口栓３３の薄肉部３３ｂに対応するので、液体導入針３を引っ張れば容易に抜くことができる。特に内面側の凹部３３ａ′が形成されているので、液体導入針３を抜く際の抵抗を小さくできる。
【００２６】
〔２．第二の実施の形態〕（図５）
図５は、口栓３３の凹部の別の形態３７を示すものである。この凹部３７は、液体導入針３を軸方向から見たときの針管２５と抜止め突起２７の総体的輪郭とほぼ同じ形及び大きさにしてあり、円形凹部の両脇に三角形の凹部３７ａが設けられた形をしている。従って、口栓３３の薄肉部３３ｂが必要最小限の大きさで足りるので口栓３３の強度を低下させないで済むと共に、口栓３３に突き通した後に液体導入針３を軸回りへ少しでも回すと抜止め突起２７が薄肉部３３ｂ以外の部分に対向するので、操作が簡単で済む。
【００２７】
以上、本発明の実施の形態を説明したが、本発明の具体的構成がこの実施の形態に限定されるものでは無く、本発明の要旨から外れない範囲での設計変更等があっても本発明に含まれる。
例えば、実施の形態においては、口栓の内外両面に凹部を設けたが、この凹部は口栓の内側の面だけに設けても良い。
口栓３３の外側の面に形成された長穴状の凹部３３ａ′は液体導入針３側の目印２９との関係において液体導入針３の軸回り方向の位置を目視により判断できる形状であれば、上記した長穴状に限らず楕円形、菱形等如何なる形状であってもよい。
【００２８】
【発明の効果】
以上のように、本発明によれば、合成ゴム製の口栓に突き通した液体導入針が当該口栓から抜けるのをほぼ確実に防止することができ、それでいて液体導入針を口栓に突き通す際の抵抗がそれほど大きくなることも無く且つ口栓に裂けが生じるおそれも無い。
【図面の簡単な説明】
【図１】本発明の第一の実施の形態に係る液体導入針を備えた輸液セットの一例を示す正面図である。
【図２】本発明の第一の実施の形態に係る口栓を供えたバイアル瓶の要部を、図１の液体導入針の要部と共に示す斜視図である。
【図３】図２に示す口栓に図１に示す液体導入針を突き刺す手順を（Ａ）から（Ｃ）へ順を追って示す断面図である。
【図４】口栓に液体導入針を突き刺した状態を示す底面図であって、（Ａ）は図３（Ｂ）に対応した図、（Ｂ）は図３（Ｃ）に対応した図である。
【図５】口栓の凹部の別の形態を示すもので、（Ａ）は斜視図、（Ｂ）は液体導入針を突き刺した状態の底面図である。
図である。
【符号の説明】
３…液体導入針　　２５…針管　　２５ａ…針元　　２５ｅ…液体導入口
２７…抜止め突起　　２９…目印　　３１…液体容器　　３３…口栓
３３ａ…内側の凹部　　３３ａ′…外側の凹部　　３３ｂ…薄肉部
３７…凹部
【図１】
2004008633.tif 000003
【図２】
2004008633.tif 000004
【図３】
2004008633.tif 000005
【図４】
2004008633.tif 000006
【図５】
2004008633.tif 000007